(57)【特許請求の範囲】
【請求項１】
建物構造体の上部に屋根ユニットを設置するとともに、前記建物構造体の軒先側の上部に前記屋根ユニットに連なる屋根パネルを設置し、前記屋根ユニットと前記屋根パネルとを取付金具で結合した建物の屋根構造において、
軒の起点となる前記屋根パネルの軒元部を支点とし、建物構造体に該軒元部を軒元固定金具を介して屋根勾配を変える方向に回動自在に結合してなることを特徴とする建物の屋根構造。
【請求項２】
前記軒元固定金具は、水平な板状取付片の両側縁部に２枚の立上げ片を立設した断面略コ字形状の金具本体と、前記立上げ片間に挿通される結合軸とからなり、金具本体が建物構造体に取り付けられ、立上げ片間に屋根パネルの垂木が挿入され、該垂木に前記結合軸を貫通させて結合してなることを特徴とする請求項１記載の建物の屋根構造。
【請求項３】
前記取付金具は、屋根ユニットに取り付けられるユニット側取付部と、該ユニット側取付部と一体に設けられ屋根パネルの垂木側面に当接されるパネル側取付部とを備え、パネル側取付部には上方に開口したガイド溝が形成され、屋根パネルの水上側の垂木側面からガイドボルトを突出させ、該ガイドボルトを前記取付金具のガイド溝に落とし込み、ガイドボルトに螺入したナットで垂木をパネル側取付部に結合してなることを特徴とする請求項１または２記載の建物の屋根構造。
【請求項４】
前記軒元固定金具は、水平な板状取付片と、該取付片の両側縁部に立設した２枚の立上げ片とから断面略コ字形状になされ、前記立上げ片には上方に開口したガイド溝が形成され、前記取付片が建物構造体に取り付けられ、屋根パネルの軒元部の垂木側面からガイドボルトを突出させ、該ガイドボルトを前記立上げ片のガイド溝に落とし込み、ガイドボルトに螺入したナットで垂木を立上げ片に結合してなることを特徴とする請求項１記載の建物の屋根構造。
【請求項５】
前記取付金具は、屋根ユニットに取り付けられるユニット側取付部材と、該ユニット側取付部材と別体に設けられ屋根パネルの垂木側面に当接されるパネル側取付片とからなり、屋根パネルの水上側の垂木側面からガイドボルトを突出させ、前記パネル側取付片に形成した長孔のボルト挿通孔にガイドボルトを挿通し、ガイドボルトに螺入したナットで垂木をパネル側取付片に結合するとともに、パネル側取付片を前記ユニット側取付部材に結合してなることを特徴とする請求項１，２，４のいずれか１項記載の建物の屋根構造。
【請求項６】
水平方向に隣接して複数の前記屋根パネルが設置され、この屋根パネルの隣接部に設置される前記軒元固定金具は、この隣接部に跨がって設置されることを特徴とする請求項１〜５のいずれか１項に記載の建物の屋根構造。
【請求項７】
水平方向に隣接して複数の前記屋根パネルが設置され、この屋根パネルの隣接部に設置される前記取付金具は、この隣接部に跨がって設置されることを特徴とする請求項１〜６のいずれか１項に記載の建物の屋根構造。
【請求項８】
前記建物構造体は、複数個の建物ユニットを隣接配置して構成されていることを特徴とする請求項１〜７のいずれか１項に記載の建物の屋根構造。
【請求項９】
水平方向に隣接して複数の建物ユニットが配置され、この建物ユニットの隣接部に設置される前記軒元固定金具は、前記建物ユニットの隣接部に跨がって設置されていることを特徴とする請求項８記載の建物の屋根構造。
【発明の詳細な説明】
【０００１】
【発明の属する技術分野】
本発明は、建物の屋根構造に関する。
【０００２】
【従来の技術】
従来、建物の屋根構造として、実公平１−２４２４３号公報や特開平３−５５３４１号公報に記載されているように、複数の建物ユニットからなるユニット建物において、建物構造体の上部に屋根ユニットを設置するとともに、建物構造体の軒先側の上部に屋根ユニットの桁面に連なる屋根ユニットを設置し、さらに、建物構造体に設置した屋根ユニットと屋根パネルとを取付金具で結合した屋根構造が知られている。
【０００３】
【発明が解決しようとする課題】
ところで、従来は、屋根パネルに幅大の軒梁を設け、この軒梁から下方に突出したボルトを建物ユニットの天井梁に予め形成されたボルト挿通孔に挿入することにより屋根パネルを建物構造体の上に設置するため、設置時の位置決めが困難であった。
また、このような屋根構造においては、構成する部材寸法を高精度にすることが要求されるので、高価に付くという問題や、軒元部の固定部品を変更しない限り屋根の勾配の変更は行えないという問題があった。
【０００４】
本発明は、このような諸問題に鑑みてなされたものであって、その目的とするところは、屋根パネル設置時の位置決めが容易であり、軒元部の固定を簡素化でき、屋根勾配の変更が可能な建物の屋根構造を提供することにある。
【０００５】
【課題を解決するための手段】
請求項１記載の本発明は、建物構造体の上部に屋根ユニットを設置するとともに、前記建物構造体の軒先側の上部に前記屋根ユニット（の桁面）に連なる屋根パネルを設置し、前記屋根ユニットと前記屋根パネルとを取付金具で結合した建物の屋根構造において、
軒の起点となる前記屋根パネルの軒元部を支点とし、建物構造体に該軒元部を軒元固定金具を介して屋根勾配を変える方向に回動自在に結合してなることを特徴とする。
【０００６】
請求項２記載の本発明は、請求項１記載の建物の屋根構造において、前記軒元固定金具は、水平な板状取付片の両側縁部に２枚の立上げ片を立設した断面略コ字形状の金具本体と、前記立上げ片間に挿通される結合軸とからなり、金具本体が建物構造体に取り付けられ、立上げ片間に屋根パネルの垂木が挿入され、該垂木に前記結合軸を貫通させて結合してなることを特徴とする。
【０００７】
請求項３記載の本発明は、請求項１または２記載の建物の屋根構造において、前記取付金具は、屋根ユニットに取り付けられるユニット側取付部と、該ユニット側取付部と一体に設けられ屋根パネルの垂木側面に当接されるパネル側取付部とを備え、パネル側取付部には上方に開口したガイド溝が形成され、屋根パネルの水上側の垂木側面からガイドボルトを突出させ、該ガイドボルトを前記取付金具のガイド溝に落とし込み、ガイドボルトに螺入したナットで垂木をパネル側取付部に結合してなることを特徴とする。
【０００８】
請求項４記載の本発明は、請求項１記載の建物の屋根構造において、前記軒元固定金具は、水平な板状取付片と、該取付片の両側縁部に立設した２枚の立上げ片とから断面略コ字形状になされ、前記立上げ片には上方に開口したガイド溝が形成され、前記取付片が建物構造体に取り付けられ、屋根パネルの軒元部の垂木側面からガイドボルトを突出させ、該ガイドボルトを前記立上げ片のガイド溝に落とし込み、ガイドボルトに螺入したナットで垂木を立上げ片に結合してなることを特徴とする。
【０００９】
請求項５記載の本発明は、請求項１，２，４のいずれか１項記載の建物の屋根構造において、前記取付金具は、屋根ユニットに取り付けられるユニット側取付部材と、該ユニット側取付部材と別体に設けられ屋根パネルの垂木側面に当接されるパネル側取付片とからなり、屋根パネルの水上側の垂木側面からガイドボルトを突出させ、前記パネル側取付片に形成した長孔のボルト挿通孔にガイドボルトを挿通し、ガイドボルトに螺入したナットで垂木をパネル側取付片に結合するとともに、パネル側取付片を前記ユニット側取付部材に結合してなることを特徴とする。
【００１０】
請求項６記載の本発明は、請求項１〜５のいずれか１項に記載の建物の屋根構造において、水平方向に隣接して複数の前記屋根パネルが設置され、この屋根パネルの隣接部に設置される前記軒元固定金具は、この隣接部に跨がって設置されることを特徴とする。
【００１１】
請求項７記載の本発明は、請求項１〜６のいずれか１項に記載の建物の屋根構造において、水平方向に隣接して複数の前記屋根パネルが設置され、この屋根パネルの隣接部に設置される前記取付金具は、この隣接部に跨がって設置されることを特徴とする。
【００１２】
請求項８記載の本発明は、請求項１〜７のいずれか１項に記載の建物の屋根構造において、前記建物構造体は、複数個の建物ユニットを隣接配置して構成されていることを特徴とする。
【００１３】
請求項９記載の本発明は、請求項８記載の建物の屋根構造において、水平方向に隣接して複数の建物ユニットが配置され、この建物ユニットの隣接部に設置される前記軒元固定金具は、前記建物ユニットの隣接部に跨がって設置されていることを特徴とする。
【００１４】
（作用）
請求項１記載の建物の屋根構造によると、屋根パネルの軒元部を支点とし、建物構造体に該軒元部を軒元固定金具を介して屋根勾配を変える方向に回動自在に結合したので、上記軒元固定金具を屋根パネル側に取り付けておき、屋根パネルを位置決めしながらこの軒元固定金具を建物構造体の軒先側の上部に設置すれば、屋根パネル設置時の位置決めが容易となる。その後、屋根パネルの水上側を屋根ユニットの取付面（例えば、桁面）に向けて回動させ、取付金具で結合すればよい。また、屋根パネルの軒元部は、屋根勾配を変える方向に回動自在に結合されているので、屋根勾配の変更が可能となる。
【００１５】
請求項２記載の建物の屋根構造によると、さらに、前記軒元固定金具を、断面略コ字形状の金具本体と結合軸とからなる簡素な部品で構成し、金具本体を建物構造体に取り付け、屋根パネルの垂木に前記結合軸を貫通させて結合するようにしたので、軒元部の固定を簡素化できる。
【００１６】
請求項３記載の建物の屋根構造によると、さらに、屋根パネルの水上側の垂木側面から突出させたガイドボルトを取付金具のガイド溝に落とし込み、ガイドボルトに螺入したナットで垂木をパネル側取付部に結合するようにしたので、屋根パネルの精度に多少のバラツキがあっても、屋根パネル設置時の位置決めが一層容易となる。
【００１７】
請求項４記載の建物の屋根構造によると、さらに、前記軒元固定金具を断面略コ字形状の簡素な部品で構成し、屋根パネルの軒元部の垂木側面から突出させたガイドボルトを立上げ片のガイド溝に落とし込み、ガイドボルトに螺入したナットで垂木を立上げ片に結合するようにしたので、軒元部の固定を簡素化できる。
【００１８】
請求項５記載の建物の屋根構造によると、さらに、屋根パネルの水上側の垂木側面から突出させたガイドボルトを、前記パネル側取付片に形成した長孔のボルト挿通孔に挿通し、ガイドボルトに螺入したナットで垂木をパネル側取付片に結合するとともに、パネル側取付片を前記ユニット側取付部材に結合するようにしたので、屋根パネルの精度に多少のバラツキがあっても、屋根パネル設置時の位置決めが一層容易となる。
【００１９】
請求項６記載の建物の屋根構造によると、さらに、水平方向に隣接して複数の前記屋根パネルが設置され、この屋根パネルの隣接部に設置される前記軒元固定金具は、この隣接部に跨がって設置されるので、屋根パネル間の段差を解消できる。
【００２０】
請求項７記載の建物の屋根構造によると、さらに、水平方向に隣接して複数の前記屋根パネルが設置され、この屋根パネルの隣接部に設置される前記取付金具は、この隣接部に跨がって設置されるので、屋根パネル間の段差を解消できる。
【００２１】
請求項８記載の建物の屋根構造によると、さらに、前記建物構造体は、複数個の建物ユニットを隣接配置して構成されているので、請求項１〜７記載の発明と同じ作用を奏する。
【００２２】
請求項９記載の建物の屋根構造によると、さらに、水平方向に隣接して複数の建物ユニットが配置され、この建物ユニットの隣接部に設置される前記軒元固定金具は、前記建物ユニットの隣接部に跨がって設置されるので、建物ユニット間の水平ジョイントを兼ねることができる。
【００２３】
【発明の実施の形態】
以下、本発明に係る建物の屋根構造の一実施形態を図面に基づき詳細に説明する。図１は、ユニット建物の斜視図であり、図２は建物ユニットの斜視図である。図３は屋根ユニットの斜視図であり、図４は屋根パネルの斜視図である。図５は軒元固定金具の斜視図であり、図６は軒元固定金具の取付状態を示す要部斜視図である。図７は取付金具の使用状態を示す斜視図である。
【００２４】
（建物）
先ず、本実施の形態における建物について説明する。図１において、１はユニット建物であって、このユニット建物１は、前側に３個の建物ユニット１０，１０，１０と、後側に３個の建物ユニット１０，１０，１０とを隣接配置して建物構造体の一部を形成している。そして、前側と後側のそれぞれで、中央に位置する建物ユニット１０，１０の上部に屋根ユニット２０，２０のそれぞれを搭載している。また、ユニット建物１の前後の軒先側に位置する建物ユニット１０の上部に上記屋根ユニット２０の桁面に連なる２枚の屋根パネル３０，３０を搭載している。
上記２個の屋根ユニット２０と８個の屋根パネル３０とによって、切妻形式の屋根が形成され、屋根パネルの水下側先端部が建物ユニット１０の軒先側から突出されて軒を形成している。
【００２５】
（建物ユニット）
建物ユニット１０は、図２に示すように、４本の角鋼管製の柱１１と、４本の形鋼製の床梁１２と、４本の形鋼製の天井梁１３とを接合した骨組構造体である。
【００２６】
（屋根ユニット）
屋根ユニット２０は、図３に示すように、両側の妻トラス２１，２１と、この妻トラス２１間に棟梁２５と母屋２７とを架け渡して接合した骨組構造体によって、両流れ屋根面支持部を形成している。なお、妻トラス２１間の中央部には、母屋２７と直交する垂木２６が設けられ、垂木２６の先端部間に継梁２８が接合されている。
上記妻トラス２１は、２本の流れ梁２２，２２と、流れ梁２２の先端部を支持して立設された２本のトラス柱２４，２４と、トラス柱２４の上端部間と下端部間に架け渡された２本の継ぎ梁２３，２３とから構成され、トラス柱２４と前記母屋２７との間に方杖となる斜材２９が架け渡されている。
上記構成の屋根ユニット２０は、２×４材や２×６材等の規格製材または集成木材等で形成されるが、トラス柱２４や継ぎ梁２３等の一部の部材を形鋼で形成してもよい。
【００２７】
（屋根パネル）
屋根パネル３０は、図４に示すように、両側２本の垂木３１，３１と、垂木３１間に架け渡された鼻隠し３２と母屋３３とを接合した骨組構造体である。この垂木３１、鼻隠し３２、母屋３３は、いずれも、２×４材や２×６材等の規格製材または集成木材等で形成される。
【００２８】
（建物の屋根構造−I ）
上記構成のユニット建物１の屋根構造−I において、本実施の形態では、図１に示すように、前記屋根ユニット２０と前記屋根パネル３０とを取付金具４０で結合したものとするとともに、軒の起点となる前記屋根パネル３０の軒元部を支点とし、建物ユニット１０にこの軒元部を軒元固定金具５０を介して屋根勾配を変える方向に回動自在に結合してなるようにした。
【００２９】
具体的には、図５に示すように、上記軒元固定金具５０は、水平な板状取付片５２の両側縁部に２枚の立上げ片５３，５３を立設した断面略コ字形状の金具本体５１と、前記立上げ片５３間に挿通される結合ボルト軸５４と、ナット５５とからなる。
上記金具本体５１は建物ユニット１０の上面部（柱１１の上端面または天井梁１３の上面部）に取り付けられ、立上げ片５３，５３間に屋根パネル３０の垂木３１が挿入され、一方の立上げ片５３のボルト挿通孔５３１から前記結合ボルト軸５４を挿入し、前記垂木３１に前記結合ボルト軸５４を貫通させるとともに、他方の立上げ片５３から結合ボルト軸５４の先端部を突出させ、この結合ボルト軸５４の突出部にナット５５を螺入した。これによって、屋根パネル３０を建物ユニット１０の軒先側に回動自在に結合したものである（図６参照）。
【００３０】
一方、前記取付金具４０は、図７に示すように、屋根ユニット２０（桁面側の母屋２７）の側面に取り付けられる垂直片４１（ユニット側取付部）と、この垂直片４１に傾斜して取り付けられた傾斜片４２と、この傾斜片４２の両側部に一体に設けられ屋根パネル３０の垂木３１の側面に当接される側板４３（パネル側取付部）とを備えている。
上記側板４３（パネル側取付部）には上方に開口したガイド溝４４が形成されている。ガイド溝４４は、Ｙ字状、Ｕ字状、Ｖ字状のいずれでもよい。
屋根パネル３０の水上側の垂木３１側面からガイドボルト３４を突出させておき、このガイドボルト３４を前記取付金具４０のガイド溝４４に落とし込み、ガイドボルト４４に螺入したナット（不図示）で垂木３１を側板４３（パネル側取付部）に結合してなるようにした。
【００３１】
上記ユニット建物１の屋根構造−Ｉにおいては、水平方向に隣接して複数の屋根パネル３０，３０，・・・が設置されている。この屋根パネル３０の隣接部に設置される前記軒元固定金具５０と取付金具４０は、この隣接部に跨がって設置される。
【００３２】
また、上記ユニット建物１の屋根構造−Ｉにおいては、水平方向に隣接して複数の建物ユニット１０，１０が配置されている。この建物ユニット１０の隣接部に設置される前記軒元固定金具５０は、この建物ユニット１０の隣接部に跨がって設置されている（図５参照）。
【００３３】
（本実施の形態の作用）
本実施の形態のユニット建物１の屋根構造−Ｉによると、屋根パネル３０の軒元部を支点とし、建物ユニット１０（建物構造体）に軒元部を軒元固定金具５０を介して屋根勾配を変える方向に回動自在に結合したので、上記軒元固定金具５０を屋根パネル３０側に取り付けておき、屋根パネル３０を位置決めしながらこの軒元固定金具５０を建物ユニット１０の軒先側の上部に設置すれば、屋根パネル３０の設置時の位置決めが容易となる。
その後、屋根パネル３０の水上側を屋根ユニット２０の取付面（例えば、桁面）に向けて回動させ、屋根パネル３０と屋根ユニット２０とを取付金具４０で結合すればよい。
また、屋根パネル３０の軒元部は、屋根勾配を変える方向に回動自在に結合されているので、屋根勾配の変更が可能となる。
【００３４】
さらに、前記軒元固定金具５０を、断面略コ字形状の金具本体５１と結合ボルト軸５４とからなる簡素な部品で構成し、金具本体５１を建物ユニット１０に取り付け、屋根パネル３０の垂木３１に前記結合ボルト軸５４を貫通させて結合するようにしたので、軒元部の固定を簡素化できる。
【００３５】
さらに、屋根パネル３０の水上側の垂木３１側面から突出させたガイドボルト３４を取付金具４０のガイド溝４４に落とし込み、ガイドボルト３４に螺入したナットで垂木３１を取付金具４０に結合するようにしたので、屋根パネル３０の精度に多少のバラツキがあっても、屋根パネル３０設置時の位置決めが一層容易となる。
【００３６】
さらに、水平方向に隣接して複数の前記屋根パネル３０が設置されており、この屋根パネル３０の隣接部に設置される前記軒元固定金具５０と前記取付金具４０とは、この隣接部に跨がって設置されるので、屋根パネル３０間の段差を解消できる。
【００３７】
さらに、水平方向に隣接して複数の建物ユニット１０、１０が配置され、この建物ユニット１０の隣接部に設置される前記軒元固定金具５０は、前記建物ユニット１０の隣接部に跨がって設置されるので、建物ユニット１０間の水平ジョイントを兼ねることができる。
【００３８】
（建物の屋根構造−II）
本発明に係る建物の屋根構造の他の実施形態を図面に基づき詳細に説明する。図８（イ）は使用状態と共に示す軒元固定金具の斜視図、（ロ）は軒元固定金具の縮小断面図であり、図９は使用状態における取付金具の斜視図である。
本実施の形態の建物の屋根構造−IIにおいては、前記実施の形態における建物の屋根構造−I と、ユニット建物１、建物ユニット１０、屋根ユニット２０、屋根パネル３０を同じくするものであるが、軒元固定金具と取付金具とを異にしている。
従って、同じものについては説明を省略し、異なるものだけを以下に説明する。
【００３９】
本実施の形態の軒元固定金具７０は、図８に示すように、水平な板状取付片７１と、この取付片７１の両側縁部に立設した２枚の立上げ片７５，７５とから断面略コ字形状になされいる。
上記取付片７１は、水平板片７２と、水平板片７２の一側に立設された垂直板片７３と、垂直板片７３の上部を傾斜して折り曲げた斜片７４とからなる断面略Ｃ字形の形鋼で形成されている。また、立上げ片７５は、断面コ字形の形鋼で形成され、この立上げ片７５には上方に開口したＵ字状のガイド溝７６が形成されている。
上記取付片７１は建物ユニット１０（天井梁１３の上面または柱１１の上端面）に取り付けられ、屋根パネル３０の軒元部の垂木３１側面からガイドボルト３５を突出させ、このガイドボルト３５を前記立上げ片７５のガイド溝７６に落とし込み、ガイドボルト３５を立上げ片７５の外方に突出させる。
そして、立上げ片７５に内接した断面コ字形の形鋼でなる座金７７のボルト挿通孔７８に前記ガイドボルト３５を挿通し、このガイドボルト３５に螺入したナット（不図示）で垂木３１を立上げ片７５に結合してなるものである。
これによって、屋根パネル３０の軒元部を屋根の傾斜方向に回動自在に結合した。
なお、上記座金７７は、両側部に設けた通孔７９，７９に固定用ボルト（不図示）等で固定するようにしてもよい。
【００４０】
一方、本実施の形態の取付金具６０は、図９に示すように、屋根ユニット２０に取り付けられるユニット側取付部材６１と、このユニット側取付部材６１と別体に設けられ屋根パネル３０の垂木３１側面に当接されるパネル側取付片６４とからなる。
上記ユニット側取付部材６１は、垂直板片６２と、この垂直板片６２に傾斜して取り付けられた断面略コ字形の傾斜板片６３とからなり、傾斜板片６３の縁部は外方に折り曲げられている。
上記パネル側取付片６４は、断面略Ｌ字形の形鋼で形成され、上記傾斜板片６３の折り曲げた縁部にボルト等で取り付けできるようになっている。
【００４１】
前記屋根パネル３０の水上側の垂木３１側面からもガイドボルト３４を突出させている。そして、前記パネル側取付片６４に形成した長孔のボルト挿通孔６４１に上記ガイドボルト３４を挿通し、ガイドボルト３４に螺入したナット（不図示）で垂木３１をパネル側取付片６４に結合するとともに、パネル側取付片６４を前記ユニット側取付部材６１（傾斜板片６３）に結合してなるものである。
【００４２】
上記ユニット建物１の屋根構造−IIにおいては、前記屋根構造I と同様、屋根パネル３０，３０の隣接部に設置される前記軒元固定金具５０と取付金具４０は、この隣接部に跨がって設置される。
【００４３】
また、建物ユニット１０の隣接部に設置される前記軒元固定金具５０は、この建物ユニット１０の隣接部に跨がって設置されている。
【００４４】
（本実施の形態の作用）
本実施の形態の建物の屋根構造−IIによると、さらに、前記軒元固定金具５０を断面略コ字形状の簡素な部品で構成し、屋根パネル３０の軒元部の垂木３１側面から突出させたガイドボルト３５を立上げ片７５のガイド溝７６に落とし込み、ガイドボルト３５に螺入したナットで垂木３１を立上げ片７５に結合するようにしたので、軒元部の固定を簡素化できる。
【００４５】
さらに、屋根パネル３０の水上側の垂木３１側面から突出させたガイドボルト３４を、前記パネル側取付片６４に形成した長孔のボルト挿通孔６４１に挿通し、ガイドボルト３４に螺入したナットで垂木３１をパネル側取付片６４に結合するとともに、パネル側取付片３４を前記ユニット側取付部材６１に結合するようにしたので、屋根パネル３０の精度に多少のバラツキがあっても、屋根パネル設置時の位置決めが一層容易となる。
【００４６】
以上、本発明を前記実施の形態に基づいて説明したが、本発明はこの実施の形態に限定されるものではなく、本発明の要旨を変更しない範囲の設計変更があっても本発明に含まれる。例えば、本実施の形態の屋根構造−I,IIでは、いずれも、切妻形式の屋根であったが、図１０に示すような寄棟形式の屋根であってもよい。
【００４７】
図１０は、寄棟形式の屋根構造を示す斜視図であり、図１１は屋根ユニットの斜視図であり、図１２は屋根パネルの斜視図である。
図１０において、１Ａはユニット建物であって、このユニット建物１Ａの屋根構造は、複数の建物ユニット１０（建物構造体）の上部に２つの屋根ユニット２０Ａ，２０Ｂを設置するとともに、前記建物ユニット１０の軒先側の上部に前記屋根ユニットに連なる屋根パネル３０Ａ，３０Ｂ，３０Ｃ，・・・を設置し、前記屋根ユニットと前記屋根パネルとを取付金具で結合して寄棟形式の屋根構造を形成している。
【００４８】
上記屋根ユニット２０Ａの屋根面は、図１１に示すように、妻トラス２１Ａとこれに結合された垂木２６Ａ、母屋２７Ａ、棟梁等で形成された両流れ屋根面と、隅梁２５Ａと垂木２２Ａ、母屋２３Ａ、鼻隠し２４Ａで形成された片流れ屋根面とから構成されている。
隅棟部における屋根パネル３０Ａは、図１２に示すように、平面形状が三角形であって、端垂木３１Ａと隅梁３４Ａとの間に母屋３３Ａと鼻隠し３２Ａを架け渡して構成している。
上記寄棟形式の屋根構造においても、軒の起点となる上記屋根パネル３０Ａの軒元部を支点とし、建物ユニット１０にこの軒元部を軒元固定金具５０を介して屋根勾配を変える方向に回動自在に結合している。
【００４９】
【発明の効果】
請求項１記載の建物の屋根構造によると、屋根パネル設置時の位置決めが容易であり、また、屋根勾配の変更が可能である。
【００５０】
請求項２または４記載の建物の屋根構造によると、さらに、軒元部の固定を簡素化できる。
【００５１】
請求項３または５記載の建物の屋根構造によると、さらに、屋根パネルの精度に多少のバラツキがあっても、屋根パネル設置時の位置決めが一層容易となる。
【００５２】
請求項６または７記載の建物の屋根構造によると、さらに、屋根パネル間の段差を解消できる。
【００５３】
請求項８記載の建物の屋根構造によると、さらに、前記建物構造体は、複数個の建物ユニットを隣接配置して構成されているので、請求項１〜７記載の発明と同じ効果を奏する。
【００５４】
請求項９記載の建物の屋根構造によると、さらに、建物ユニット間の水平ジョイントを兼ねることができる。
【図面の簡単な説明】
【図１】ユニット建物の斜視図である。
【図２】建物ユニットの斜視図である。
【図３】屋根ユニットの斜視図である。
【図４】屋根パネルの斜視図である。
【図５】軒元固定金具の斜視図である。
【図６】軒元固定金具の取付状態を示す要部斜視図である。
【図７】取付金具の使用状態を示す斜視図である。
【図８】（イ）は使用状態と共に示す軒元固定金具の斜視図、（ロ）は軒元固定金具の縮小断面図である。
【図９】使用状態における他の取付金具の斜視図である。
【図１０】寄棟形式の屋根構造を示す斜視図である。
【図１１】屋根ユニットの斜視図である。
【図１２】屋根パネルの斜視図である。
【符号の説明】
１            ユニット建物
１０          建物ユニット
２０          屋根ユニット
３０          屋根パネル
３１          垂木
３４          ガイドボルト
４０，６０    取付金具
４１          垂直板
４２          傾斜片
４３          側板
４４          ガイド溝
５０，７０    軒元固定金具
５１          金具本体
５２          取付片
５３          立上げ片
５４          結合ボルト軸
【図１】
0003865625.tif 000002
【図２】
0003865625.tif 000003
【図３】
0003865625.tif 000004
【図４】
0003865625.tif 000005
【図５】
0003865625.tif 000006
【図６】
0003865625.tif 000007
【図７】
0003865625.tif 000008
【図８】
0003865625.tif 000009
【図９】
0003865625.tif 000010
【図１０】
0003865625.tif 000011
【図１１】
0003865625.tif 000012
【図１２】
0003865625.tif 000013